(57)【特許請求の範囲】
【請求項１】
光ファイバが設置される照明装置であって、
前記光ファイバの一部が、２以上の屈曲箇所を有する状態で配される破断構造部を備え、
前記破断構造部は、
当該一部が、前記光ファイバの軸をずらして２以上の屈曲箇所を有する状態で配され、レーザー光を遮断する部材による壁で区画される空間部を備え、
前記光ファイバのうち当該一部以外の前記破断構造部の外の部分が所定の大きさの荷重であって引っ張りを含む荷重を受けたときに、前記空間部に配されている当該一部のうち前記２以上の屈曲箇所の間の一部が切断破断される特性を有し、
当該一部と前記壁とは、切断破断された前記２以上の屈曲箇所の間の一部の断面が、前記壁に向かうような位置関係を有する、
照明装置。
【請求項２】
前記空間部は、第１開口部および第２開口部を有し、
前記第１開口部および第２開口部は、前記一部が前記破断構造部に配される場合に当該一部が経由され、
前記第１開口部から前記空間部をみたときの前記第１開口部および前記第２開口部における最も遠い縁端どうしの距離は、前記第１開口部の径および前記第２開口部の径の和よりも大きい、
請求項１に記載の照明装置。
【請求項３】
前記破断構造部は、さらに、
前記第１開口部に連結される中空の挿入部と、
前記第２開口部に連結される中空の挿出部とを備え、
前記挿入部および挿出部は、前記一部が前記破断構造部に配される場合に、前記一部が経由され、
前記挿入部および挿出部は、前記第１開口部から前記空間部をみたときに略平行に設けられている、  請求項２に記載の照明装置。
【請求項４】
前記照明装置は、
さらに、前記第２開口部に接続される空間に設けられ、前記一部が前記破断構造部に配される場合に前記光ファイバを保持し、前記外の部分が受ける荷重であって引っ張りを含む荷重の大きさを移動量に変換する荷重受け部を備え、
前記空間部は、前記光ファイバの屈曲限界半径以下の先端部分を有する突起部を有し、
前記先端部分は、前記一部が前記破断構造部に配されたときの経路上に設けられており、前記屈曲箇所を少なくとも１増加させる、
請求項２または３に記載の照明装置。
【請求項５】
前記空間部は、さらに、前記光ファイバの一部が前記破断構造部に配される場合の経路上に設けられ、前記光ファイバの一部の屈曲箇所のたるみを前記光ファイバの屈曲限界半径よりも大きい半径となるように調整するたるみ調整構造部を備える、
請求項４に記載の照明装置。
【請求項６】
前記破断構造部は、前記外の部分が前記所定の大きさの荷重であって引っ張りを含む荷重を受けたとき、前記荷重受け部により前記光ファイバが移動されることにより、前記光ファイバの一部を前記突起部の前記先端部分近傍で切断破断する、
請求項４または５に記載の照明装置。
【請求項７】
前記照明装置は、
さらに、前記第２開口部に接続される空間に設けられ、前記一部が前記破断構造部に配される場合に前記光ファイバを保持し、前記外の部分が受ける荷重であって引っ張りを含む荷重の大きさを移動量に変換する荷重受け部を備え、
前記空間部には、さらに、前記荷重受け部が変換する移動量と連動するトリガ機構部と、
弾性体と接続され、前記トリガ機構部により係止されることで前記弾性体による押し出し力を蓄えるポンチと、
前記ポンチを受けるための部材であるダイとが設けられ、
前記破断構造部は、前記外の部分が前記所定の大きさの荷重であって引っ張りを含む荷重を受けたときに、前記荷重受け部により前記光ファイバが移動され、かつ、前記荷重受け部が変換する移動量に連動して前記トリガ機構部が引っ張られて前記ポンチの係止を開放することで、前記ポンチと前記ダイとで当該光ファイバの一部を挟む、
請求項２または３に記載の照明装置。
【請求項８】
前記破断構造部は、前記外の部分が前記所定の大きさの荷重であって引っ張りを含む荷重を受けたときに、前記ポンチと前記ダイとで挟まれた箇所近傍で当該光ファイバの一部を切断破断する、
請求項７に記載の照明装置。
【請求項９】
前記照明装置は、
さらに、前記第２開口部に接続される空間に設けられ、前記一部が前記破断構造部に配される場合に前記光ファイバを保持し、前記外の部分が受ける荷重であって引っ張りを含む荷重の大きさを移動量に変換する荷重受け部を備え、
前記空間部は、さらに、前記一部が前記破断構造部に配される場合に前記光ファイバの一部と接する突起部を有し、前記荷重受け部が変換する移動量と連動するポンチと、
前記ポンチの前記突起部を受けるための部材であるダイとが設けられており、
前記破断構造部は、前記外の部分が前記所定の大きさの荷重であって引っ張りを含む荷重を受けたときに、前記荷重受け部により前記光ファイバが移動され、かつ、前記荷重受け部が変換する移動量に連動して前記ポンチの前記突起部を前記ダイに受けさせる、
請求項２または３に記載の照明装置。
【請求項１０】
前記破断構造部は、前記外の部分が前記所定の大きさの荷重であって引っ張りを含む荷重を受けたときに、前記突起部を前記ダイに受けさせることにより、前記突起部近傍で当該光ファイバの一部を切断破断する、
請求項９に記載の照明装置。
【請求項１１】
光ファイバが設置される照明装置であって、
前記光ファイバの一部が、前記光ファイバの軸をずらして２以上の屈曲箇所を有する状態で配される破断構造部を備え、
前記破断構造部は、
側面に第１開口部を有し、２つの端部のうちの第１端部側が塞がれており、かつ、前記第１端部で固定されており、レーザー光を遮断する部材による壁で区画される第１中空管と、
側面に第２開口部を有し、かつ、前記光ファイバを保持して前記光ファイバのうち当該一部以外の前記破断構造部の外の部分が受ける荷重であって引っ張りを含む荷重の大きさを移動量に変換する、前記第１中空管よりも径が大きい第２中空管とを備え、
前記第１中空管は、前記第１端部と反対側が、前記第２中空管の端部のうち前記光ファイバを保持する端部とは反対の端部から挿入されており、
前記第１開口部と前記第２開口部とは、対応する位置にあり、かつ、前記一部が前記破断構造部に配される場合に当該一部が経由され、
前記破断構造部は、前記外の部分が前記所定の大きさの荷重であって引っ張りを含む荷重を受けたときに、前記第２中空管の位置を移動させることにより、前記第２開口部の位置を前記第１開口部と対応しない位置に移動させて、当該一部のうち前記２以上の屈曲箇所の間の一部を切断破断し、
当該一部と前記壁とは、切断破断された前記２以上の屈曲箇所の間の一部の断面が、前記壁に向かうような位置関係を有する、
照明装置。
【請求項１２】
前記破断構造部は、前記外の部分が前記所定の大きさの荷重であって引っ張りを含む荷重を受けたときに、前記第２開口部の位置を前記第１開口部と対応しない位置に移動させることにより、前記第１開口部近傍で当該一部のうち前記２以上の屈曲箇所の間の一部を切断破断する、
請求項１１に記載の照明装置。
【請求項１３】
前記光ファイバが設置される、
請求項１〜１２のいずれか１項に記載の照明装置。
【発明の詳細な説明】
【技術分野】
【０００１】
本発明は、光ファイバが設置される照明装置に関する。
【背景技術】
【０００２】
レーザー光を直接または間接的に用いた照明装置がある。このような照明装置では、例えばレーザーが発する青色光を光ファイバ等の伝送部材で伝送して直接照射したり、レーザーが発する青色光を光ファイバで伝送して蛍光体に照射することで作り出した白色光を照射したりする。
【０００３】
一方、このような照明装置では、光ファイバが破損した場合にはレーザー光が漏れ出てしまい人体に危険である。そのため、光ファイバが破損した場合にレーザー光が漏れ出ないフェールセーフ機構が必要とされている（例えば特許文献１）。
【０００４】
特許文献１では、光ファイバ用自己遮断コネクタがフェールセーフ機構として提案されている。この光ファイバ用自己遮断コネクタは、光ファイバの局部曲げによりレーザー光が集まり発熱することなどを起因に光ファイバの内部の破壊が進行する現象が発生する場合に、光ファイバ自身の発熱を利用して光ファイバの軸をずらすことができる。このようにして、光ファイバ用自己遮断コネクタは、当該現象が発生した場合に、レーザー光の進行を遮断することができる。
【先行技術文献】
【特許文献】
【０００５】
【特許文献１】特開２００８−３０５８０２号公報
【発明の概要】
【発明が解決しようとする課題】
【０００６】
しかしながら、上記従来技術では、光ファイバが引張り等の物理的な荷重を受けて光ファイバが破損する場合については考慮されていない。
【０００７】
本発明は、上述の課題を鑑みてなされたもので、光ファイバが引張り等の荷重を受けたときにレーザー光が漏れないフェールセーフ機構を有する照明装置を提供することを目的とする。
【課題を解決するための手段】
【０００８】
本発明の一態様に係る照明装置は、光ファイバが設置される照明装置であって、前記光ファイバの一部が、２以上の屈曲箇所を有する状態で配される破断構造部を備え、前記破断構造部は、前記光ファイバが所定の大きさの荷重を受けたときに、配されている当該一部が切断破断される特性を有する。
【発明の効果】
【０００９】
本発明によれば、光ファイバが引張り等の荷重を受けたときにレーザー光が漏れないフェールセーフ機構を有する照明装置を実現することができる。
【図面の簡単な説明】
【００１０】
【図１】実施の形態１におけるフェールセーフ機構部材が用いられる照明装置の一例を示す図である。
【図２】実施の形態１におけるフェールセーフ機構部材の断面図の一例である。
【図３Ａ】実施の形態２におけるフェールセーフ機構部材の断面図の一例である。
【図３Ｂ】実施の形態２の変形例におけるフェールセーフ機構部材の断面図の一例である。
【図４】実施の形態３におけるフェールセーフ機構部材の断面図の一例である。
【図５】実施の形態４におけるフェールセーフ機構部材の断面図の一例である。
【図６】実施の形態４の変形例におけるフェールセーフ機構部材の断面図の一例である。
【図７】実施の形態５におけるフェールセーフ機構部材の断面図の一例である。
【図８】実施の形態５の変形例におけるフェールセーフ機構部材の外観図の一例である。
【図９】本発明におけるフェールセーフ機構部材の応用例である。
【発明を実施するための形態】
【００１１】
以下、実施の形態について、図面を参照しながら説明する。ここで示す実施の形態は、いずれも本発明の一具体例を示すものである。従って、以下の実施の形態で示される数値、形状、材料、構成要素、構成要素の配置および接続形態等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
［照明装置］
まず、本実施の形態におけるフェールセーフ機構部材の一例について説明する。
【００１３】
図１は、実施の形態１におけるフェールセーフ機構部材１が用いられる照明装置５の一例を示す図である。
【００１４】
図１に示される照明装置５は、フェールセーフ機構部材１と、光ファイバ２と、灯具３と、光源部４とを備える。
【００１５】
フェールセーフ機構部材１は、光ファイバ２が設置される照明装置５において、光ファイバ２が引張り等の荷重を受けたときにレーザー光が漏れないように機能する。詳細は後述する。
【００１６】
光ファイバ２は、離れた場所に光を伝える伝送部材である。光ファイバ２は、例えば直径数ｍｍ〜数十ｍｍ程度の線材である。本実施の形態では、光ファイバ２は、例えば直径１００μｍ程度の高屈折率のコアをコアより低屈折率のクラッド層が包んだ二重構造を保護被覆を被せた芯線であってもよいし、芯線にさらにＰＶＣ（PolyVinyl Chloride；塩化ビニル）などの合成樹脂からなる外部被覆（シース）が施された光ファイバコードであってもよい。コアおよびクラッド層はともに光に対して透過率が非常に高い石英ガラスまたはプラスチックからなる。
【００１７】
灯具３は、光ファイバ２を介して伝送された光源部４からの光を照射するために用いられる。灯具３は、例えば、ステンレス製のファイバカップリング、ステンレス製のフェルール、ガラス製のレンズ、アルミ製のホルダー、およびアルミ製の外郭で構成される。
【００１８】
光源部４は、レーザー光を発する光源を有し、光ファイバ２にレーザー光を入射する。本実施の形態では光源部４は、直径１ｍｍ程度などｍｍオーダの青色光のレーザー光を光ファイバ２に入射する。
【００１９】
［フェールセーフ機構部材１］
次に、本実施の形態におけるフェールセーフ機構部材の詳細について図２を用いて説明する。図２は、実施の形態１におけるフェールセーフ機構部材１の断面図の一例である。
【００２０】
図２に示すフェールセーフ機構部材１は、破断構造部１０と、挿入部１１と、挿出部１２とを備えている。
【００２１】
破断構造部１０は、光ファイバ２の一部が２以上の屈曲箇所を有する状態で配され、光ファイバ２が所定の大きさの荷重を受けたときに、当該一部を切断破断する。
【００２２】
より具体的には、破断構造部１０は、例えば図２に示すように、第１開口部１０１および第２開口部１０２を有する空間部１０３を備える。
【００２３】
空間部１０３は、フェールセーフ機構部材１内部に形成された空間であり、第１開口部１０１および第２開口部１０２を有し、レーザー光を遮断する部材による壁で区画された空間である。空間部１０３は、第１開口部１０１を介して中空の挿入部１１と接続され、第２開口部１０２を介して中空の挿出部１２と接続されている。
【００２４】
また、空間部１０３は、フェールセーフ機構部材１に光ファイバ２の一部が配された場合に、フェールセーフ機構部材１により光ファイバ２が切断破断される箇所を含む。そして、空間部１０３は、当該空間部１０３を画する壁により、実際に光ファイバ２が切断破断されたときに切断破断された光ファイバ２の断面からのレーザー光が漏れだすことを防止する。
【００２５】
第１開口部１０１および第２開口部１０２は、光ファイバ２の一部が破断構造部１０に配される場合に当該一部が経由される。
【００２６】
第１開口部１０１は、挿入部１１と連結されている。第１開口部１０１の径は、挿入部１１の径と実質的に同一であり、光ファイバ２の径よりも大きい。第２開口部１０２は、挿出部１２と連結されている。第２開口部１０２の径は、挿出部１２の径と実質的に同一であり、光ファイバ２の径よりも大きい。なお、第１開口部１０１および第２開口部１０２は同一の径でなくてもよく、例えば第１開口部１０１の径の方が第２開口部１０２よりも大きいとしてもよい。
【００２７】
また、第１開口部１０１から空間部１０３をみたときの第１開口部１０１および第２開口部１０２の距離Ｄ１０は、第１開口部１０１の径φ１１および第２開口部１０２の径φ１２の和よりも大きい。これにより、第１開口部１０１および第２開口部１０２は、光ファイバ２の一部を経由させるときには、光ファイバ２の軸をずらすことができる。
【００２８】
挿入部１１は、光ファイバ２の一部が破断構造部１０に配される場合に当該一部が挿入され、当該一部が経由する箇所である。挿出部１２は、光ファイバ２の一部が破断構造部１０に配される場合に当該一部が挿出され、当該一部が経由する箇所である。上述したように、挿入部１１は第１開口部１０１と連結しており、挿出部１２は第２開口部１０２と連結している。
【００２９】
本実施の形態では、挿入部１１および挿出部１２は、第１開口部１０１から空間部１０３をみたときに略平行に設けられている。つまり、挿入部１１および挿出部１２は、光ファイバ２の一部が破断構造部１０に配される場合にクランク状となるように設けられる。
【００３０】
以上のように構成されたフェールセーフ機構部材１は、光ファイバ２の一部を、挿入部１１および第１開口部１０１、並びに、挿出部１２および第２開口部１０２を経由させて配することができるので、光ファイバ２の軸をずらして２以上の屈曲箇所を有する状態で保持することができる。それにより、光ファイバ２が引張り等の荷重を所定の大きさ以上を矢印７０の方向に受けると、光ファイバ２が空間部１０３内で屈曲限界半径を超えて切断破断される。そして、フェールセーフ機構部材１は、光ファイバ２が空間部１０３内で切断破断された光ファイバ２の断面からのレーザー光を空間部１０３を画する壁に向かわせることができる。このようにして、フェールセーフ機構部材１は、光ファイバ２が引張り等の荷重を受けたときにレーザー光が漏れだすことを防止する。
【００３１】
［効果等］
以上のように、本実施の形態によれば、照明装置５は、光ファイバ２が設置される照明装置であって、光ファイバ２の一部が、２以上の屈曲箇所を有する状態で配される破断構造部１０を備える。そして、破断構造部１０は、光ファイバ２が所定の大きさの荷重を受けたときに、配されている当該一部が切断破断される特定を有する。
【００３２】
ここで、破断構造部１０は、第１開口部１０１および第２開口部１０２を有する空間部１０３を備え、第１開口部１０１および第２開口部１０２は、当該一部が破断構造部１０に配される場合に当該一部が経由される。第１開口部１０１から空間部１０３をみたときの第１開口部１０１および第２開口部１０２の距離は、第１開口部１０１の径および第２開口部１０２の径の和よりも大きい。
【００３３】
また、破断構造部１０は、さらに、第１開口部１０１に連結される中空の挿入部１１と、第２開口部１０２に連結される中空の挿出部１２とを備え、挿入部１１および挿出部１２は、当該一部が破断構造部１０に配される場合に、当該一部が経由される。挿入部１１および挿出部１２は、第１開口部１０１から空間部１０３をみたときに略平行に設けられている。
【００３４】
これら構成により、本実施の形態の照明装置５ファイバ２の一部が配された場合には、光ファイバ２の軸をずらして２以上の屈曲箇所を有する状態で保持することができる。それにより、光ファイバ２が引張り等の荷重を所定の大きさ以上受け、光ファイバ２が空間部１０３内で切断破断されたときには、切断破断された光ファイバ２の断面からのレーザー光を空間部１０３から漏れだすことを防止することができる。つまり、本実施の形態の照明装置５は、光ファイバ２が引張り等の荷重を受けたときにレーザー光が漏れないフェールセーフ機構を有することができる。
【００３５】
それにより、光ファイバ２が破損する引張り等の荷重に達する以前に、レーザー光が露出し得ない位置で光ファイバを切断することができる。そのため、光ファイバ２が実際に破損した場合でも、レーザー光が曝露しないため安全性を確保できるという効果を奏する。
【００３６】
なお、電気的、光学的に光ファイバ２の断線を検知して光出力を停止する方式（検知方式）では僅かな時間差でレーザー光が曝露する。一方、本実施の形態の照明装置５では本質的にレーザー光は曝露し得ないので、検知方式と比較しても顕著な効果を奏する。
【００３７】
（実施の形態２）
実施の形態１において、照明装置５のフェールセーフ機構としてフェールセーフ機構部材１を説明したが、これに限らない。実施の形態２では、実施の形態１で説明したフェールセーフ機構部材１とは別の例について説明する。なお、照明装置５の全体構成については実施の形態１と同様のため説明を省略する。また、以下では、実施の形態１と異なる点を中心に説明する。
【００３８】
［フェールセーフ機構部材１Ａ］
以下、本実施の形態におけるフェールセーフ機構部材１Ａの詳細について図３Ａを用いて説明する。図３Ａは、実施の形態２におけるフェールセーフ機構部材１Ａの断面図の一例である。
【００３９】
図３Ａに示すフェールセーフ機構部材１Ａは、破断構造部１０Ａと、挿入部１１Ａと、挿出部１２Ａと、荷重受け部２０とを備えている。なお、本実施の形態では、後述する荷重受け部２０により光ファイバ２の外部被覆（シース）が保持され、破断構造部１０Ａには、光ファイバ２の一部として、光ファイバ２の芯線２ａが配されるとして説明する。
【００４０】
破断構造部１０Ａは、光ファイバ２の芯線２ａが２以上の屈曲箇所を有する状態で配され、光ファイバ２が所定の大きさの荷重を受けたときに、当該芯線２ａを切断破断する。
【００４１】
より具体的には、破断構造部１０Ａは、例えば図３Ａに示すように、第１開口部１０１Ａおよび第２開口部１０２Ａを有する空間部１０３Ａを備える。
【００４２】
空間部１０３Ａは、フェールセーフ機構部材１Ａ内部に形成された空間であり、第１開口部１０１Ａおよび第２開口部１０２Ａを有し、レーザー光を遮断する部材による壁で区画された空間である。空間部１０３Ａは、第１開口部１０１Ａを介して中空の挿入部１１Ａと接続され、第２開口部１０２Ａを介して中空の挿出部１２Ａと接続されている。
【００４３】
さらに、空間部１０３Ａは、光ファイバ２の屈曲限界半径以下の先端部分１０４ａを有する突起部１０４を有する。先端部分１０４ａは、光ファイバ２の芯線２ａが破断構造部１０Ａに配されたときの経路上に設けられており、屈曲箇所を少なくとも１増加させる。つまり、空間部１０３Ａは、フェールセーフ機構部材１Ａに光ファイバ２の芯線２ａが配された場合に、突起部１０４の先端部分１０４ａ近傍に芯線２ａの屈曲箇所を存在させる。そのため、光ファイバ２が引張り等の荷重を所定の大きさ以上矢印７０の方向に受けた場合には、光ファイバ２の芯線２ａは、突起部１０４の先端部分１０４ａ近傍で屈曲限界半径を超えるので切断破断される。さらに、空間部１０３Ａは、当該空間部１０３Ａを画する壁により、切断破断された光ファイバ２の芯線２ａの断面からのレーザー光を漏れだすことを防止する。
【００４４】
なお、第１開口部１０１Ａ、第２開口部１０２Ａ、挿入部１１Ａおよび挿出部１２Ａは、上述した第１開口部１０１、第２開口部１０２、挿入部１１および挿出部１２と同様の構造であり同様の機能を有するため、ここでの説明は省略する。
【００４５】
荷重受け部２０は、第２開口部１０１Ａに接続される空間１２１Ａに設けられ、光ファイバ２の芯線２ａが破断構造部１０Ａに配される場合に光ファイバ２を保持し、光ファイバ２が受ける荷重の大きさを移動量に変換する。
【００４６】
本実施の形態では、荷重受け部２０は、第２開口部１０１Ａに連なる挿出部１２Ａと連結される第３開口部１２２Ａを有する空間部１２１Ａに設けられる。ここで、第３開口部１２２Ａの径は光ファイバ２の径よりも大きく、第３開口部１２２Ａは光ファイバ２の芯線２ａが破断構造部１０Ａに配される場合に当該芯線２ａが経由される。
【００４７】
また、荷重受け部２０は、図３Ａに示すように、支持部２０１と、ばね２０２とで構成されている。支持部２０１は、例えばさや管であり、光ファイバ２の芯線２ａが破断構造部１０Ａに配される場合に光ファイバ２の被覆（シート）を保持する。また、ばね２０２は、光ファイバ２が引張等荷重を受けた場合に、光ファイバ２が受ける荷重の大きさを、図３Ａで矢印７０の方向における支持部２０１の移動量に変換する。
【００４８】
以上のように構成されたフェールセーフ機構部材１Ａは、破断構造部１０Ａを備えることで、光ファイバ２の芯線２ａを、挿入部１１Ａおよび第１開口部１０１Ａ、並びに、挿出部１２Ａおよび第２開口部１０２Ａを経由させて配することができるので、光ファイバ２の軸をずらして２以上の屈曲箇所を有する状態で保持することができる。また、フェールセーフ機構部材１Ａは、荷重受け部２０を備えることで、光ファイバ２が受ける荷重の大きさを移動量に変換することができる。それにより、光ファイバ２が引張り等の荷重を所定の大きさ以上受けた場合には、確実に破断構造部１０Ａ内に設けられた突起部１０４の先端部分１０４ａの近傍で光ファイバ２の芯線２ａを切断破断することができ、切断破断された光ファイバ２の断面からのレーザー光を空間部１０３Ａを画する壁に向かわせることができる。このようにして、フェールセーフ機構部材１Ａは、光ファイバ２が引張り等の荷重を受けたときにレーザー光が漏れだすことを防止することができる。
【００４９】
［効果等］
以上のように、本実施の形態によれば、照明装置５は、光ファイバ２が設置される照明装置であって、光ファイバ２の一部が、２以上の屈曲箇所を有する状態で配される破断構造部１０Ａを備える。そして、破断構造部１０Ａは、光ファイバ２が所定の大きさの荷重を受けたときに、配されている当該一部が切断破断される特性を有する。
【００５０】
ここで、破断構造部１０Ａは、第１開口部１０１Ａおよび第２開口部１０２Ａを有する空間部１０３Ａを備え、第１開口部１０１Ａおよび第２開口部１０２Ａは、当該一部が破断構造部１０Ａに配される場合に当該一部が経由される。第１開口部１０１Ａから空間部１０３Ａをみたときの第１開口部１０１Ａおよび第２開口部１０２Ａの距離は、第１開口部１０１Ａの径および第２開口部１０２Ａの径の和よりも大きい。
【００５１】
また、破断構造部１０Ａは、さらに、第１開口部１０１Ａに連結される中空の挿入部１１Ａと、第２開口部１０２Ａに連結される中空の挿出部１２Ａとを備え、挿入部１１Ａおよび挿出部１２Ａは、当該一部が破断構造部１０Ａに配される場合に、当該一部が経由される。挿入部１１Ａおよび挿出部１２Ａは、第１開口部１０１Ａから空間部１０３Ａをみたときに略平行に設けられている。
【００５２】
これら構成により、本実施の形態の照明装置５は、ファイバ２の一部が配された場合には、光ファイバ２の軸をずらして２以上の屈曲箇所を有する状態で保持することができる。それにより、光ファイバ２が引張り等の荷重を所定の大きさ以上受け、光ファイバ２が空間部１０３内で切断破断されたときには、切断破断された光ファイバ２の断面からのレーザー光を空間部１０３から漏れだすことを防止することができる。
【００５３】
また、照明装置５は、さらに、第２開口部１０１Ａに接続される空間１２１Ａに設けられ、当該一部が破断構造部１０Ａに配される場合に光ファイバ２を保持し、光ファイバ２が受ける荷重の大きさを移動量に変換する荷重受け部２０を備える。また、空間部１０３Ａは、光ファイバの屈曲限界半径以下の先端部分１０４ａを有する突起部１０４を有し、先端部分１０４ａは、当該一部が破断構造部１０Ａに配されたときの経路上に設けられており、屈曲箇所を少なくとも１増加させる。
【００５４】
ここで、破断構造部１０Ａは、光ファイバ２が所定の大きさの荷重を受けたとき、荷重受け部２０により光ファイバ２が移動されることにより、光ファイバ２の一部を突起部１０４の先端部分１０４ａの近傍で切断破断する。
【００５５】
このようにして、本実施の形態の照明装置５は、光ファイバ２が引張り等の荷重を所定の大きさ以上受けた場合には、破断構造部１０Ａ内に設けられた突起部１０４の先端部分１０４ａの近傍で光ファイバ２の芯線２ａを屈曲限界半径を超えて曲げることができるので当該近傍で確実に切断破断することができる。そして、切断破断された光ファイバ２の断面からのレーザー光を空間部１０３を画する壁に向かわせることができる。つまり、本実施の形態の照明装置５は、光ファイバが引張り等の荷重を受けたときにレーザー光が漏れないフェールセーフ機構を有することができる。
【００５６】
それにより、光ファイバ２が破損する引張り等の荷重に達する以前に、レーザー光が露出し得ない位置で光ファイバを切断することができる。そのため、光ファイバ２が実際に破損した場合でも、レーザー光が曝露しないため安全性を確保できるという効果を奏する。
【００５７】
（変形例）
次に、実施の形態２に係る変形例について説明する。
【００５８】
［フェールセーフ機構部材１Ｂ］
以下、本変形例におけるフェールセーフ機構部材１Ｂの詳細について図３Ａを用いて説明する。図３Ｂは、実施の形態２の変形例におけるフェールセーフ機構部材１Ｂの断面図の一例である。なお、図３Ａと同様の要素には同一の符号を付しており、詳細な説明は省略する。
【００５９】
図３Ｂに示すフェールセーフ機構部材１Ｂは、破断構造部１０Ｂと、挿入部１１Ａと、挿出部１２Ａと、荷重受け部２０とを備えている。図３Ｂに示すフェールセーフ機構部材１Ｂは、図３Ａに示すフェールセーフ機構部材１Ａに対して、破断構造部１０Ｂの構成が異なっている。より具体的には、図３Ｂに示す破断構造部１０Ｂは、図３Ａに示す破断構造部１０Ａに対して、さらにたるみ調整構造部１０５を備える点で構成が異なっている。なお、本変形例でも、破断構造部１０Ｂには、光ファイバ２の一部として、光ファイバ２の芯線２ｂが配されるとして説明する。
【００６０】
破断構造部１０Ｂは、光ファイバ２の芯線２ｂが２以上の屈曲箇所を有する状態で配され、光ファイバ２が所定の大きさの荷重を受けたときに、当該芯線２ｂを切断破断する。
【００６１】
より具体的には、破断構造部１０Ｂは、例えば図３Ｂに示すように、第１開口部１０１Ａおよび第２開口部１０２Ａを有する空間部１０３Ｂを備える。
【００６２】
空間部１０３Ｂは、フェールセーフ機構部材１Ａ内部に形成された空間であり、第１開口部１０１Ａおよび第２開口部１０２Ａを有し、レーザー光を遮断する部材による壁で区画された空間である。空間部１０３Ｂは、第１開口部１０１Ａを介して中空の挿入部１１Ａと接続され、第２開口部１０２Ａを介して中空の挿出部１２Ａと接続されている。
【００６３】
さらに、空間部１０３Ｂは、光ファイバ２の屈曲限界半径以下の先端部分１０４ａを有する突起部１０４と、光ファイバ２の芯線２ｂの屈曲箇所のたるみを光ファイバ２の屈曲限界半径よりも大きい半径となるように調整するたるみ調整構造部１０５とを有する。先端部分１０４ａとたるみ調整構造部１０５とは、光ファイバ２の芯線２ｂが破断構造部１０Ｂに配されたときの経路上に設けられており、屈曲箇所を少なくとも１増加させる。つまり、空間部１０３Ｂは、フェールセーフ機構部材１Ｂに光ファイバ２の芯線２ｂが配された場合に、たるみ調整構造部１０５でたるみを光ファイバ２の芯線２ｂの屈曲限界半径よりも大きい半径となるように調整し、かつ、突起部１０４の先端部分１０４ａ近傍に芯線２ａの屈曲箇所を存在させる。そのため、光ファイバ２の芯線２ｂは、突起部１０４の先端部分１０４ａ近傍で屈曲限界半径を超えるので切断破断される。そして、空間部１０３Ｂは、当該空間部１０３Ｂを画する壁により、切断破断された光ファイバ２の芯線２ｂの断面からのレーザー光が漏れだすことを防止する。
【００６４】
なお、その他の構成、すなわち第１開口部１０１Ａ、第２開口部１０２Ａ、挿入部１１Ａおよび挿出部１２Ａ、空間部１２１Ａ、第３開口部１２２Ａおよび荷重受け部２０は、上述した通りであるため、ここでの説明は省略する。
【００６５】
［効果等］
以上のように、本変形例によれば、空間部１０３Ｂは、さらに、光ファイバ２の一部が破断構造部１０Ｂに配される場合の経路上に設けられ、光ファイバ２の一部の屈曲箇所のたるみを光ファイバ２の屈曲限界半径よりも大きい半径となるように調整するたるみ調整構造部１０５を備える。
【００６６】
ここで、破断構造部１０Ｂは、光ファイバ２が所定の大きさの荷重を受けたとき、荷重受け部２０により光ファイバ２が移動されることにより、光ファイバ２の一部を突起部１０４の先端部分１０４ａの近傍で切断破断する。
【００６７】
このようにして、本変形例の照明装置５は、光ファイバ２が引張り等の荷重を所定の大きさ以上受けた場合には、破断構造部１０Ａ内に設けられた突起部１０４の先端部分１０４ａの近傍で光ファイバ２の芯線２ａを確実に切断破断することができ、切断破断された光ファイバ２の断面からのレーザー光を空間部１０３を画する壁に向かわせることができる。つまり、本変形例の照明装置５は、光ファイバが引張り等の荷重を受けたときにレーザー光が漏れないフェールセーフ機構を有することができる。
【００６８】
それにより、光ファイバ２が破損する引張り等の荷重に達する以前に、レーザー光が露出し得ない位置で光ファイバ２を切断することができる。そのため、光ファイバ２が実際に破損した場合でも、レーザー光が曝露しないため安全性を確保できるという効果を奏する。
【００６９】
（実施の形態３）
実施の形態３では、実施の形態１および実施の形態２で説明したフェールセーフ機構部材とは別の例について説明する。なお、照明装置５の全体構成については実施の形態１と同様のため説明を省略する。以下、実施の形態１および２と異なる点を中心に説明する。
【００７０】
［フェールセーフ機構部材１Ｃ］
以下、本実施の形態におけるフェールセーフ機構部材１Ｃの詳細について図４を用いて説明する。図４は、実施の形態３におけるフェールセーフ機構部材１Ｃの断面図の一例である。なお、図３Ａおよび図３Ｂと同様の要素には同一の符号を付しており、詳細な説明は省略する。
【００７１】
図４に示すフェールセーフ機構部材１Ｃは、破断構造部１０Ｃと、挿入部１１Ｃと、挿出部１２Ｃと、荷重受け部２０Ｃとを備えている。なお、本実施の形態でも、後述する荷重受け部２０Ｃにより光ファイバ２の外部被覆（シース）が保持され、破断構造部１０Ｃには、光ファイバ２の一部として、光ファイバ２の芯線２ｃが配されるとして説明する。
【００７２】
破断構造部１０Ｃは、光ファイバ２の芯線２ｃが２以上の屈曲箇所を有する状態で配され、光ファイバ２が所定の大きさの荷重を受けたときに、当該芯線２ｃを切断破断する。
【００７３】
より具体的には、破断構造部１０Ｃは、例えば図４に示すように、第１開口部１０１Ｃおよび第２開口部１０２Ｃを有する空間部１０３Ｃを備える。
【００７４】
空間部１０３Ｃは、フェールセーフ機構部材１Ｃ内部に形成された空間であり、第１開口部１０１Ｃおよび第２開口部１０２Ｃを有し、レーザー光を遮断する部材による壁で区画された空間である。空間部１０３Ｃは、第１開口部１０１Ｃを介して中空の挿入部１１Ｃと接続され、第２開口部１０２Ｃを介して中空の挿出部１２Ｃと接続されている。
【００７５】
さらに、空間部１０３Ｃには、ポンチ１０６と、ダイ１０７と、トリガ機構部１０８の一部とが設けられている。
【００７６】
トリガ機構部１０８は、荷重受け部２０Ｃが変換する移動量と連動する。また、トリガ機構部１０８は、ポンチ１０６を係止する。トリガ機構部１０８は、光ファイバ２が所定の大きさの荷重を受けたときに荷重受け部２０Ｃが変換する移動量と連動してポンチ１０６の係止を開放する。なお、トリガ機構部１０８はその機能上、ポンチ１０６を係止する部分が空間部１０３Ｃ内に設けられていればよく、トリガ機構部１０８全体が空間部１０３Ｃ内に設けられる必要はない。しかし、トリガ機構部１０８全体が空間部１０３Ｃ内に設けられるとしてもよいのはいうまでもない。ダイ１０７は、ポンチを受けるための部材である。ポンチ１０６は、ばねなどの弾性体と接続され、トリガ機構部１０８により係止されることで弾性体による押し出し力を蓄える。ポンチ１０６は、光ファイバ２の芯線２ｃが破断構造部１０Ｃに配されたときの経路近傍に設けられ、トリガ機構部１０８により係止が解放されると、ダイ１０７の方向に飛び出す。それにより、ポンチ１０６は、ダイ１０７とで光ファイバ２の芯線２ｃを挟むことで、芯線２ｃの屈曲限界半径を超えさせることができるので芯線２ｃを切断破断することができる。
【００７７】
なお、第１開口部１０１Ｃ、第２開口部１０２Ｃ、挿入部１１Ｃおよび挿出部１２Ｃは、上述した第１開口部１０１Ａ、第２開口部１０２Ａ、挿入部１１Ａおよび挿出部１２Ａと同様の構造であり同様の機能を有するため、ここでの説明は省略する。
【００７８】
荷重受け部２０Ｃは、第２開口部１０１Ｃに接続される空間１２１Ｃに設けられ、光ファイバ２の芯線２ｃが破断構造部１０Ｃに配される場合に光ファイバ２を保持し、光ファイバ２が受ける荷重の大きさを移動量に変換する。
【００７９】
本実施の形態では、実施の形態２と同様に、荷重受け部２０Ｃは、第２開口部１０１Ｃに連なる挿出部１２Ｃと連結される第３開口部１２２Ｃを有する空間部１２１Ｃに設けられる。ここで、第３開口部１２２Ｃの径は、光ファイバ２の径よりも大きく、第３開口部１２２Ｃは、光ファイバ２の芯線２ｃが破断構造部１０Ｃに配される場合に当該芯線２ｃが経由される。また、荷重受け部２０Ｃは、図４に示すように、支持部２０１と、ばね２０２と、部材２０３とで構成されている。
【００８０】
支持部２０１は、上述したように例えばさや管であり、光ファイバ２の芯線２ｃが破断構造部１０Ｃに配される場合に光ファイバ２の被覆（シート）を保持する。また、ばね２０２は、光ファイバ２が引張等荷重を受けた場合に、光ファイバ２が受ける荷重の大きさを、図４で矢印７０の方向における支持部２０１の移動量に変換する。
【００８１】
部材２０３は、荷重受け部２０Ｃが変換する移動量をリンク機構に伝達することで、荷重受け部２０Ｃが変換する移動量にトリガ機構部１０８を連動させる部材である。図４に示す例では、リンク機構は、部材２０４、部材２０５、部材２０６および部材２０７で構成される。部材２０５は、フェールセーフ機構部材１Ｃに設けられた空間１２１Ｃおよび空間１２１Ｃと連結されている空間１２３Ｃに設けられ、部材２０４は、空間１２１Ｃに設けられている。図４に示すリンク機構は、部材２０３により伝達される移動量の向きと反対の方向でトリガ機構部１０８に伝達する。
【００８２】
このようなリンク機構を利用して、荷重受け部２０Ｃは、光ファイバ２が所定の大きさの荷重を受けたときに荷重受け部２０Ｃが変換する移動量にトリガ機構部１０８を連動させて矢印７０と逆の方向に引っ張ることにより、トリガ機構部１０８にポンチ１０６の係止を開放させることができる。
【００８３】
以上のように構成されたフェールセーフ機構部材１Ｃは、破断構造部１０Ｃを備えることで、光ファイバ２の芯線２ｃを、挿入部１１Ｃおよび第１開口部１０１Ｃ、並びに、挿出部１２Ｃおよび第２開口部１０２Ｃを経由させて配することができるので、光ファイバ２の軸をずらして２以上の屈曲箇所を有する状態で保持することができる。また、フェールセーフ機構部材１Ｃは、荷重受け部２０Ｃを備えることで、光ファイバ２が受ける荷重の大きさを移動量に変換することができる。したがって、光ファイバ２が引張り等の荷重を所定の大きさ以上受けた場合には、荷重受け部２０Ｃの移動量に連動してトリガ機構部１０８を引っ張りポンチ１０７の係止を開放することができる。それにより、確実に破断構造部１０Ｃ内のポンチ１０６とダイ１０７とで挟まれた箇所近傍で光ファイバ２の芯線２ｃを切断破断することができ、切断破断された光ファイバ２の断面からのレーザー光を空間部１０３Ｃを画する壁に向かわせることができる。このようにして、フェールセーフ機構部材１Ｃは、光ファイバ２が引張り等の荷重を受けたときにレーザー光が漏れだすことを防止することができる。
【００８４】
［効果等］
以上のように、本実施の形態によれば、照明装置５は、光ファイバ２が設置される照明装置であって、光ファイバ２の一部が、２以上の屈曲箇所を有する状態で配される破断構造部１０Ｃを備える。そして、破断構造部１０Ｃは、光ファイバ２が所定の大きさの荷重を受けたときに、配されている当該一部が切断破断される特性を有する。
【００８５】
ここで、破断構造部１０Ｃは、第１開口部１０１Ｃおよび第２開口部１０２Ｃを有する空間部１０３Ｃを備え、第１開口部１０１Ｃおよび第２開口部１０２Ｃは、当該一部が破断構造部１０Ｃに配される場合に当該一部が経由される。第１開口部１０１Ｃから空間部１０３Ｃをみたときの第１開口部１０１Ｃおよび第２開口部１０２Ｃの距離は、第１開口部１０１Ｃの径および第２開口部１０２Ｃの径の和よりも大きい。
【００８６】
また、破断構造部１０Ｃは、さらに、第１開口部１０１Ｃに連結される中空の挿入部１１Ｃと、第２開口部１０２Ｃに連結される中空の挿出部１２Ｃとを備え、挿入部１１Ｃおよび挿出部１２Ｃは、当該一部が破断構造部１０Ｃに配される場合に、当該一部が経由される。挿入部１１Ｃおよび挿出部１２Ｃは、第１開口部１０１Ｃから空間部１０３Ｃをみたときに略平行に設けられている。
【００８７】
これら構成により、本実施の形態の照明装置５は、ファイバ２の一部が配された場合には、光ファイバ２の軸をずらして２以上の屈曲箇所を有する状態で保持することができる。それにより、光ファイバ２が引張り等の荷重を所定の大きさ以上受け、光ファイバ２が空間部１０３Ｃ内で切断破断されたときには、切断破断された光ファイバ２の断面からのレーザー光を空間部１０３Ｃから漏れだすことを防止することができる。
【００８８】
また、照明装置５は、さらに、第２開口部１０２Ｃに接続される空間１２１Ｃに設けられ、当該一部が破断構造部Ｃに配される場合に光ファイバ２を保持し、光ファイバ２が受ける荷重の大きさを移動量に変換する荷重受け部２０Ｃを備える。空間部１０３Ｃには、さらに、荷重受け部２０Ｃが変換する移動量と連動するトリガ機構部１０８と、弾性体と接続され、トリガ機構部１０８により係止されることで弾性体による押し出し力を蓄えるポンチ１０６と、ポンチ１０６を受けるための部材であるダイ１０７とが設けられている。そして、破断構造部１０Ｃは、光ファイバ２が所定の大きさの荷重を受けたときに、荷重受け部２０Ｃにより光ファイバ２が移動され、かつ、荷重受け部２０Ｃが変換する移動量に連動してトリガ機構部１０８が引っ張られてポンチ１０６の係止を開放することで、ポンチ１０６とダイ１０７とで光ファイバ２の一部を挟む。
【００８９】
ここで、破断構造部１０Ｃは、光ファイバ２が所定の大きさの荷重を受けたときに、ポンチ１０６とダイ１０７とで挟まれた箇所近傍で当該光ファイバ２の一部を切断破断する。
【００９０】
このようにして、本実施の形態の照明装置５は、光ファイバ２が引張り等の荷重を所定の大きさ以上受けた場合には、破断構造部１０Ｃ内におけるポンチ１０６とダイ１０７とで挟まれた箇所近傍で光ファイバ２の芯線２ｃを確実に切断破断することができ、切断破断された光ファイバ２の断面からのレーザー光を空間部１０３Ｃを画する壁に向かわせることができる。つまり、本実施の形態の照明装置５は、光ファイバが引張り等の荷重を受けたときにレーザー光が漏れないフェールセーフ機構を有することができる。
【００９１】
それにより、光ファイバ２が破損する引張り等の荷重に達する以前に、レーザー光が露出し得ない位置で光ファイバを切断することができる。そのため、光ファイバ２が実際に破損した場合でも、レーザー光が曝露しないため安全性を確保できるという効果を奏する。
【００９２】
（実施の形態４）
実施の形態３では、ポンチとダイとを用いたフェールセーフ機構部材の例について説明したが、これに限らない。実施の形態４では、ポンチとダイとを用いたフェールセーフ機構部材の実施の形態３とは別の例について説明する。なお、照明装置５の全体構成については実施の形態１と同様のため説明を省略する。以下、実施の形態３と異なる点を中心に説明する。
【００９３】
［フェールセーフ機構部材１Ｄ］
以下、本実施の形態におけるフェールセーフ機構部材１Ｃの詳細について図５を用いて説明する。図５は、実施の形態４におけるフェールセーフ機構部材１Ｄの断面図の一例である。なお、図４と同様の要素には同一の符号を付しており、詳細な説明は省略する。
【００９４】
図５に示すフェールセーフ機構部材１Ｄは、破断構造部１０Ｄと、挿入部１１Ｄと、挿出部１２Ｄと、荷重受け部２０Ｃとを備えている。図５に示す破断構造部１０Ｄは、図４に示す破断構造部１０Ｄに対して、トリガ機構部１０８がない点と、ポンチ１０９およびダイ１１０の構成が異なる。なお、本実施の形態でも、荷重受け部２０Ｃにより光ファイバ２の外部被覆（シース）が保持され、破断構造部１０Ｄには、光ファイバ２の一部として、光ファイバ２の芯線２ｄが配されるとして説明する。
【００９５】
破断構造部１０Ｄは、破断構造部１０Ｃと同様に、光ファイバ２の芯線２ｄが２以上の屈曲箇所を有する状態で配され、光ファイバ２が所定の大きさの荷重を受けたときに、当該芯線２ｄを切断破断する。
【００９６】
より具体的には、破断構造部１０Ｄは、例えば図５に示すように、第１開口部１０１Ｄおよび第２開口部１０２Ｄを有する空間部１０３Ｄを備える。
【００９７】
空間部１０３Ｄは、フェールセーフ機構部材１Ｄ内部に形成された空間であり、第１開口部１０１Ｄおよび第２開口部１０２Ｄを有し、レーザー光を遮断する部材による壁で区画された空間である。空間部１０３Ｄは、第１開口部１０１Ｄを介して中空の挿入部１１Ｄと接続され、第２開口部１０２Ｄを介して中空の挿出部１２Ｄと接続されている。
【００９８】
さらに、空間部１０３Ｄには、ポンチ１０９と、ダイ１１０とが設けられている。
【００９９】
ポンチ１０９は、突起部１０９ａを有し、荷重受け部２Ｃが変換する移動量と連動する。突起部１０９ａは、芯線２ｄが破断構造部１０Ｄに配される場合に芯線２ｄの経路近傍にあり、図５に示すように接し、芯線２ｄの屈曲箇所を少なくとも１増加させる。ダイ１１０は、ポンチ１０９の突起部１０９ａを受けるための部材である。
【０１００】
ポンチ１０９は、光ファイバ２が所定の大きさの荷重を受けたときに荷重受け部２０Ｃが変換する移動量と連動し、その突起部１０９ａをダイ１１０に当接させる。つまり、ポンチ１０９は、光ファイバ２が所定の大きさの荷重を受けたときに荷重受け部２０Ｃが変換する移動量と連動し、ダイ１０７とで光ファイバ２の芯線２ｃを挟む。それにより、芯線２ｃが屈曲限界半径を超えるので芯線２ｃは切断破断される。
【０１０１】
なお、空間部１２１Ｄは、空間部１２１Ｃと同様であるためここでの説明は省略する、空間部１２１Ｃと比較して、リンク機構の動きを妨げないようになっている。
【０１０２】
本実施の形態では、リンク機構は、図５に示すように、部材２０８および部材２０９で形成される。部材２０９は、フェールセーフ機構部材１Ｄに設けられた空間１２１Ｄおよび空間１２１Ｄと連結されている空間１２３Ｄに設けられ、部材２０４は、空間１２２Ｃに設けられている。リンク機構は、図５に示すように、部材２０３により伝達される移動量を、ポンチ１０９の突起部１０９ａのある端部と反対にある端部に伝達する。
【０１０３】
このようにして、荷重受け部２０Ｄは、光ファイバ２が所定の大きさの荷重を受けたときに、荷重受け部２０Ｃが変換する移動量とポンチ１０９とを連動させて、ポンチ１０９の突起部１０９ａをダイ１１０に当接させることができる。
【０１０４】
以上のように構成されたフェールセーフ機構部材１Ｄは、破断構造部１０Ｄを備えることで、光ファイバ２の芯線２ｄを、挿入部１１Ｄおよび第１開口部１０１Ｄ、並びに、挿出部１２Ｄおよび第２開口部１０２Ｄを経由させて配することができるので、光ファイバ２の軸をずらして２以上の屈曲箇所を有する状態で保持することができる。また、フェールセーフ機構部材１Ｄは、荷重受け部２０Ｃを備えることで、光ファイバ２が受ける荷重の大きさを移動量に変換することができる。したがって、光ファイバ２が引張り等の荷重を所定の大きさ以上受けた場合には、荷重受け部２０Ｃの移動量にポンチ１０９を連動させてポンチ１０９の突起部１０９ａをダイ１１０に当接させることができる。それにより、確実に破断構造部１０Ｄ内のポンチ１０９とダイ１１０とで挟まれた箇所近傍で光ファイバ２の芯線２ｄを切断破断することができ、切断破断された光ファイバ２の断面からのレーザー光を空間部１０３Ｄを画する壁に向かわせることができる。このようにして、フェールセーフ機構部材１Ｄは、光ファイバ２が引張り等の荷重を受けたときにレーザー光が漏れだすことを防止することができる。
【０１０５】
［効果等］
以上のように、本実施の形態によれば、照明装置５は、光ファイバ２が設置される照明装置であって、光ファイバ２の一部が、２以上の屈曲箇所を有する状態で配される破断構造部１０Ｄを備える。そして、破断構造部１０Ｄは、光ファイバ２が所定の大きさの荷重を受けたときに、配されている当該一部が切断破断される特性を有する。
【０１０６】
ここで、破断構造部１０Ｄは、第１開口部１０１Ｄおよび第２開口部１０２Ｄを有する空間部１０３Ｄを備え、第１開口部１０１Ｄおよび第２開口部１０２Ｄは、当該一部が破断構造部１０Ｄに配される場合に当該一部が経由される。第１開口部１０１Ｄから空間部１０３Ｄをみたときの第１開口部１０１Ｄおよび第２開口部１０２Ｄの距離は、第１開口部１０１Ｄの径および第２開口部１０２Ｄの径の和よりも大きい。
【０１０７】
また、破断構造部１０Ｄは、さらに、第１開口部１０１Ｄに連結される中空の挿入部１１Ｄと、第２開口部１０２Ｄに連結される中空の挿出部１２Ｄとを備え、挿入部１１Ｄおよび挿出部１２Ｄは、当該一部が破断構造部１０Ｄに配される場合に、当該一部が経由される。挿入部１１Ｄおよび挿出部１２Ｄは、第１開口部１０１Ｄから空間部１０３Ｄをみたときに略平行に設けられている。
【０１０８】
これら構成により、本実施の形態の照明装置５は、ファイバ２の一部が配された場合には、光ファイバ２の軸をずらして２以上の屈曲箇所を有する状態で保持することができる。それにより、光ファイバ２が引張り等の荷重を所定の大きさ以上受け、光ファイバ２が空間部１０３Ｄ内で切断破断されたときには、切断破断された光ファイバ２の断面からのレーザー光を空間部１０３Ｄから漏れだすことを防止することができる。
【０１０９】
また、照明装置５は、さらに、第２開口部１２Ｄに接続される空間１２１Ｄに設けられ、当該一部が破断構造部１０Ｄに配される場合に光ファイバ２を保持し、光ファイバ２が受ける荷重の大きさを移動量に変換する荷重受け部２０Ｄを備える。また、空間部１０３Ｄは、さらに、当該一部が破断構造部１０Ｄに配される場合に光ファイバ２の一部と接する突起部１０９ａを有し、荷重受け部２０Ｄが変換する移動量と連動するポンチ１０９と、ポンチ１０９の突起部１０９ａを受けるための部材であるダイ１１０とが設けられている。そして、破断構造部１０Ｄは、光ファイバ２が所定の大きさの荷重を受けたときに、荷重受け部２０Ｄにより光ファイバ２が移動され、かつ、荷重受け部２０Ｄが変換する移動量に連動してポンチ１０９の突起部１０９ａをダイ１１０に受けさせる。
【０１１０】
ここで、破断構造部１０Ｄは、光ファイバ２が所定の大きさの荷重を受けたときに、突起部１０９ａをダイ１１０に受けさせることにより、突起部１０９ａの近傍で当該光ファイバ２の一部を切断破断する。
【０１１１】
このようにして、本実施の形態の照明装置５は、光ファイバ２が引張り等の荷重を所定の大きさ以上受けた場合には、破断構造部１０Ｄ内におけるポンチ１０９とダイ１１０とで挟まれた箇所近傍で光ファイバ２の芯線２ｄを確実に切断破断することができ、切断破断された光ファイバ２の断面からのレーザー光を空間部１０３Ｄを画する壁に向かわせることができる。つまり、本実施の形態の照明装置５は、光ファイバが引張り等の荷重を受けたときにレーザー光が漏れないフェールセーフ機構を有することができる。
【０１１２】
それにより、光ファイバ２が破損する引張り等の荷重に達する以前に、レーザー光が露出し得ない位置で光ファイバを切断することができる。そのため、光ファイバ２が実際に破損した場合でも、レーザー光が曝露しないため安全性を確保できるという効果を奏する。
【０１１３】
（変形例）
次に、実施の形態４に係る変形例について説明する。
【０１１４】
図６は、実施の形態４の変形例におけるフェールセーフ機構部材１Ｅの断面図の一例である。なお、図５と同様の要素には同一の符号を付しており、詳細な説明は省略する。
【０１１５】
図６に示すフェールセーフ機構部材１Ｅは、破断構造部１０Ｅと、挿入部１１Ｅと、挿出部１２Ｅとを備えている。図６に示すフェールセーフ機構部材１Ｅは、図５に示すフェールセーフ機構部材１Ｄに対して、破断構造部１０Ｅの構成が異なっている。
【０１１６】
より具体的には、破断構造部１０Ｅは、図６に示すように、第１開口部１０１Ｅおよび第２開口部１０２Ｅを有する空間部１０３Ｅを備えるが、第１開口部１０１Ｅと第２開口部１０２Ｅとの位置は、フェールセーフ機構部材１Ｅに光ファイバ２の芯線２ｅが配された場合に同軸になるように設けられている。
【０１１７】
また、空間部１０３Ｅには、ポンチ１０９Ｅと、ダイ１１０Ｅとに加え、荷重受け部２０Ｅとを内部に設けられている。
【０１１８】
ポンチ１０９Ｅは、光ファイバ２が所定の大きさの荷重を受けたときに荷重受け部２０Ｄが変換する移動量と連動させ、その突起部１０９ａをダイ１１０に当接させる。ダイ１１０Ｅは、ポンチ１０９Ｅの先端部を受けるための部材である。
【０１１９】
荷重受け部２０Ｅは、図６に示すように、支持部２０１Ｅと、ばね２０２とで構成されている。支持部２０１Ｅは、光ファイバ２の芯線２ｅがフェールセーフ機構部材１Ｅに配される場合に光ファイバ２の被覆（シート）を保持する。また、支持部２０１Ｅは、リンク機構を兼ねている。ばね２０２は、光ファイバ２が引張等荷重を受けた場合に、光ファイバ２が受ける荷重の大きさを、図６で矢印７０の方向における支持部２０１Ｅの移動量に変換する。したがって、荷重受け部２０Ｅは、光ファイバ２が所定の大きさの荷重を受けたときに、荷重受け部２０Ｃが変換する移動量に連動して支持部２０１Ｅがポンチ１０９Ｅの先端部を押し上げてダイ１１０Ｅに当接させる。
【０１２０】
このようにして、本変形例の照明装置５は、光ファイバ２が引張り等の荷重を所定の大きさ以上受けた場合には、破断構造部１０Ｅ内におけるポンチ１０９Ｅとダイ１１０Ｅとで挟まれた箇所近傍で光ファイバ２の芯線２ｅを確実に切断破断することができ、切断破断された光ファイバ２の断面からのレーザー光を空間部１０３Ｅを画する壁に向かわせることができる。つまり、本変形例の照明装置５は、光ファイバが引張り等の荷重を受けたときにレーザー光が漏れないフェールセーフ機構を有することができる。
【０１２１】
（実施の形態５）
実施の形態４の変形例では、破断構造部の内部に荷重受け部を備える場合について説明したが、これに限らない。実施の形態５では、破断構造部の内部に荷重受け部を備えるフェールセーフ機構部材について、実施の形態４の変形例とは別の例について説明する。なお、照明装置５の全体構成については実施の形態１と同様のため説明を省略する。また、以下では、実施の形態１と異なる点を中心に説明する。
【０１２２】
［フェールセーフ機構部材１Ｆ］
以下、本実施の形態におけるフェールセーフ機構部材１Ｆの詳細について図７を用いて説明する。図７は、実施の形態５におけるフェールセーフ機構部材１Ｆの断面図の一例である。図２〜図６と同様の要素には同一の符号を付しており、詳細な説明は省略する。
【０１２３】
図７に示すフェールセーフ機構部材１Ｆは、板金で構成され、破断構造部１０Ｆと、破断構造部Ｆを囲う筺体５０とを備えている。
【０１２４】
破断構造部１０Ｆは、光ファイバ２の芯線２ｆが２以上の屈曲箇所を有する状態で配され、光ファイバ２が所定の大きさの荷重を受けたときに、当該芯線２ｆを切断破断する。破断構造部１０Ｆは、板金からなり、図７で筺体５０と光ファイバ２とを除く部分である。
【０１２５】
より具体的には、破断構造部１０Ｆは、例えば図７に示すように、第１中空管３０と、第２中空管４０と、荷重受け部２０Ｆとを備える。
【０１２６】
荷重受け部２０は、破断構造部１０Ｆ内に設けられ、光ファイバ２がフェールセーフ機構部材１Ｆに配される場合に光ファイバ２を保持し、光ファイバ２が受ける荷重の大きさを移動量に変換する。また、荷重受け部２０Ｆは、図７に示すように、第２中空管４０に接合される支持部２０１Ｆと、ばね２０２と、部材２０３とで構成されている。支持部２０１Ｆは、光ファイバ２がフェールセーフ機構部材１Ｆに配される場合に光ファイバ２の被覆（シート）を保持する。なお、支持部２０１Ｆが第２中空管４０に接合されていることから、荷重受け部２０は、第２中空管４０の一部であるとしてもよい。
【０１２７】
第１中空管３０は、側面に第１開口部３０１を有し、２つの端部のうちの第１端部３０２側が塞がれており、かつ、第１端部３０２で固定されている中空の管である。第１開口部３０１は、光ファイバ２の芯線２ｆの径よりも大きい。第１中空管３０は、第１端部３０１と反対側が、第２中空管４０の端部のうち光ファイバ２を保持する荷重受け部２０Ｆと接合する端部とは反対の端部から挿入されている。
【０１２８】
第２中空管４０は、側面に第２開口部４０１を有し、第１中空管３０よりも径が大きい中空の管である。第２開口部４０１は、光ファイバ２の芯線２ｆの径よりも大きい。
【０１２９】
そして、第２中空管４０の第２開口部４０１は、第１開口部３０１と、対応する位置となるように設けられており、光ファイバ２がフェールセーフ機構部材１Ｆに配される場合にその芯線２ｆが経由される。つまり、光ファイバ２がフェールセーフ機構部材１Ｆに配される場合に、光ファイバ２の芯線２ｆが第１中空管３０を通り、第１開口部３０１および第２開口部４０１を経由して、筺体５０の外に導出される。
【０１３０】
以上のように構成された破断構造部１０Ｆは、光ファイバ２が所定の大きさの荷重を受けたときに、第２中空管４０の位置を移動させることにより、第２開口部４０１の位置を第１開口部３０１と対応しない位置に移動させる。
【０１３１】
このように、フェールセーフ機構部材１Ｆは、光ファイバ２が引張り等の荷重を所定の大きさ以上受けた場合には、第２開口部４０１の位置を第１開口部３０１と対応しない位置に移動させ、第２開口部４０１と第１開口部３０１とで光ファイバ２の芯線２ｆを挟み込み屈曲限界半径を超えさせることができる。それにより、第１開口部３０１近傍で当該光ファイバの一部を切断破断することができ、切断破断された光ファイバ２の芯線２ｆの断面からのレーザー光を第１中空管３０を画する壁に向かわせることができる。つまり、フェールセーフ機構部材１Ｆは、光ファイバ２が引張り等の荷重を受けたときにレーザー光が漏れだすことを防止することができる。
【０１３２】
［効果等］
以上のように、本実施の形態によれば、照明装置５は、光ファイバ２が設置される照明装置であって、光ファイバ２の一部が、２以上の屈曲箇所を有する状態で配される破断構造部１０Ｆを備える。そして、破断構造部１０Ｆは、光ファイバ２が所定の大きさの荷重を受けたときに、配されている当該一部が切断破断される特性を有する。
【０１３３】
また、破断構造部１０Ｆは、側面に第１開口部３０１を有し、２つの端部のうちの第１端部３０２の側が塞がれており、かつ、第１端部３０２で固定されている第１中空管３０と、側面に第２開口部４０１を有し、かつ、光ファイバ２を保持して光ファイバ２が受ける荷重の大きさを移動量に変換する、第１中空管３０よりも径が大きい第２中空管４０とを備える。第１中空管３０は、第１端部３０１と反対側が、第２中空管４０の端部のうち光ファイバ２を保持する端部とは反対の端部から挿入されている。また、第１開口部３０１と第２開口部４０１とは、対応する位置にあり、かつ、当該一部が破断構造部１０Ｆに配される場合に当該一部が経由される。そして、破断構造部１０Ｆは、光ファイバ２が所定の大きさの荷重を受けたときに、第２中空管４０の位置を移動させることにより、第２開口部４０１の位置を第１開口部３０１と対応しない位置に移動させる。
【０１３４】
ここで、破断構造部１０Ｆは、光ファイバ２が所定の大きさの荷重を受けたときに、第２開口部４０１の位置を第１開口部３０１と対応しない位置に移動させることにより、第１開口部３０１近傍で当該光ファイバ２の一部を切断破断する。
【０１３５】
このようにして、本実施の形態の照明装置５は、光ファイバ２が引張り等の荷重を所定の大きさ以上受けた場合には、第２開口部４０１の位置を第１開口部３０１と対応しない位置に移動させることにより、第１開口部３０１近傍で当該光ファイバの一部を切断破断することができ、切断破断された光ファイバ２の芯線２ｆの断面からのレーザー光を第１中空管３０を画する壁に向かわせることができる。つまり、本実施の形態の照明装置５は、光ファイバが引張り等の荷重を受けたときにレーザー光が漏れないフェールセーフ機構を有することができる。
【０１３６】
それにより、光ファイバ２が破損する引張り等の荷重に達する以前に、レーザー光が露出し得ない位置で光ファイバを切断することができる。そのため、光ファイバ２が実際に破損した場合でも、レーザー光が曝露しないため安全性を確保できるという効果を奏する。
【０１３７】
（変形例）
次に、実施の形態５に係る変形例について説明する。
【０１３８】
図８は、実施の形態５の変形例における破断構造部１０Ｇの外観図の一例である。なお、図７と同様の要素には同一の符号を付しており、詳細な説明は省略する。
【０１３９】
図８に示す破断構造部１０Ｇは、図７に示す破断構造部１０Ｆに対して、第１中空管３０Ｇと第２中空管４０Ｇの径の大きさが異なっている。そのため、第１中空管３０Ｇの２つの端部ともに塞がれておらず、第２中空管４０Ｇの端部４０２が塞がれている。
【０１４０】
その他の構成は、実施の形態５で説明した通りであり、実施の形態５と同様の効果を奏するのでここでの詳細説明は省略する。
【０１４１】
（他の実施の形態等）
以上、本発明に係る照明装置について、上記実施の形態１〜５およびそれらの変形例に基づいて説明したが、本発明は、上記の実施の形態および各変形例に限定されるものではない。上述した実施の形態は一例にすぎず、各種の変更、付加、省略等が可能であることは言うまでもない。
【０１４２】
たとえば、図９に示すように、図１に示すフェールセーフ機構部材１がライン照明等に用いられる光ファイバコード２Ａと光ファイバコード２Ｃとを光学的に結合する中継部品１ａに利用されていてもよいし、光ファイバコード２Ｃの一部に挿入される断線フェールセーフ部品１ｂに含まれているとしてもよい。
【０１４３】
また、上述した実施の形態で示した構成要素および機能を任意に組み合わせることで実現される形態も本発明の範囲に含まれる。その他、上記実施の形態に対して当業者が思い付く各種変形を施して得られる形態や、本発明の趣旨を逸脱しない範囲で各実施の形態における構成要素および機能を任意に組み合わせることで実現される形態も本発明に含まれる。
【符号の説明】
【０１４４】
５  照明装置
１０、１０Ａ、１０Ｂ、１０Ｃ、１０Ｄ、１０Ｆ  破断構造部
１１  挿入部
１２  挿出部
１２Ｄ  第２開口部
２０、２０Ｃ、２０Ｄ  荷重受け部
３０  第１中空管
４０  第２中空管
１０１  第１開口部
１０２、１０２Ａ、１０２Ｃ、１０３Ｃ  第２開口部
１０３、１０３Ａ、１０３Ｂ、１０３Ｄ  空間部
１０４、１０９ａ  突起部
１０５  たるみ調整構造部
１０６、１０９  ポンチ
１０７、１１０  ダイ
１０８  トリガ機構部
３０１  第１開口部
３０２  第１端部
４０１  第２開口部
【図１】
0006709979.tif 000002
【図２】
0006709979.tif 000003
【図３Ａ】
0006709979.tif 000004
【図３Ｂ】
0006709979.tif 000005
【図４】
0006709979.tif 000006
【図５】
0006709979.tif 000007
【図６】
0006709979.tif 000008
【図７】
0006709979.tif 000009
【図８】
0006709979.tif 000010
【図９】
0006709979.tif 000011